【手続補正書】
【提出日】平成22年4月14日(2010.4.14)
【手続補正１】
【補正対象書類名】特許請求の範囲
【補正対象項目名】全文
【補正方法】変更
【補正の内容】
【特許請求の範囲】
【請求項１】
被測定電源の電圧が所定電圧に到達したことを検出する電圧検出回路であって、
直列接続されたｎ個（ｎは１以上の整数）の第１〜第ｎの抵抗素子と、前記第１〜第ｎの抵抗素子の各々に対応して並列接続された第１〜第ｎのスイッチング素子と、を有する可変抵抗回路と、
基準電圧を発生する基準電圧源と、
前記被測定電源の電圧を前記可変抵抗回路と所定の抵抗素子とで構成される抵抗分割回路によって分圧することで生じる中点電圧と、前記基準電圧とを比較し、前記中点電圧と前記基準電圧との大小関係が反転した場合に、前記被測定電源の電圧が所定電圧に到達したことを示すために出力信号の状態を反転させる比較回路と、
前記比較回路の出力信号が反転した場合、またはテストモード時の場合に、所定周波数のクロック信号を生成する発振回路と、
前記クロック信号の１／２ｋ−１周波数（ｋ＝２、３、…、ｎ）の分周信号を生成する分周回路と、
前記クロック信号に対応して設けられ、内部に配置されたトリミング用導通素子の切断前では前記クロック信号を前記第１のスイッチング素子の制御端子に出力する一方、前記トリミング用導通素子の切断後には前記第１のスイッチング素子をオン状態またはオフ状態に維持させる信号を出力する第１の抵抗値設定回路と、
前記１／２ｋ−１周波数の分周信号の各々に対応して設けられ、内部に配置されたトリミング用導通素子の切断前では前記１／２ｋ−１周波数の分周信号を各々に対応する第２〜第ｎのスイッチング素子の制御端子に出力する一方、前記トリミング用導通素子の切断後には前記第２〜第ｎのスイッチング素子をオン状態またはオフ状態に維持させる信号を出力する第２〜第ｎの抵抗値設定回路と、
前記テストモード時の場合は前記比較回路の出力信号を外部に出力し、通常モード時の場合は１／２ｎ−１周波数の分周信号が前記分周回路から出力された場合に前記比較回路の出力信号を外部に出力するモード選択回路を備え、
前記第１〜第ｎの抵抗素子の抵抗比は、それぞれ２ｉ−１（ｉ＝１、２、…、ｎ）となるように設定されている電圧検出回路において、
テストモードに移行してから前記モード選択回路の出力信号が反転するまでの時間を測定し、当該測定した時間から前記発振回路の発振周期を除算することにより、前記可変抵抗回路のトリミング量を検出し、当該トリミング量に応じて前記第１〜第ｎの抵抗値設定回路における前記トリミング用導通素子の切断処理を行う、
ことを特徴とするトリミング方法。
【請求項２】
被測定電源の電圧が所定電圧に到達したことを検出する電圧検出回路であって、
直列接続されたｎ個（ｎは１以上の整数）の第１〜第ｎの抵抗素子と、前記第１〜第ｎの抵抗素子の各々に対応して並列接続された第１〜第ｎのスイッチング素子と、を有する可変抵抗回路と、
基準電圧を発生する基準電圧源と、
前記被測定電源の電圧を前記可変抵抗回路と所定の抵抗素子とで構成される抵抗分割回路によって分圧することで生じる中点電圧と、前記基準電圧とを比較し、前記中点電圧と前記基準電圧との大小関係が反転した場合に、前記被測定電源の電圧が所定電圧に到達したことを示すために出力信号の状態を反転させる比較回路と、
前記比較回路の出力信号が反転した場合、またはテストモード時の場合に、所定周波数のクロック信号を生成する発振回路と、
前記クロック信号の１／２ｋ−１周波数（ｋ＝２、３、…、ｎ）の分周信号を生成する分周回路と、
前記クロック信号に対応して設けられ、内部に配置されたトリミング用導通素子の切断前では前記クロック信号を前記第１のスイッチング素子の制御端子に出力する一方、前記トリミング用導通素子の切断後には前記第１のスイッチング素子をオン状態またはオフ状態に維持させる信号を出力する第１の抵抗値設定回路と、
前記１／２ｋ−１周波数の分周信号の各々に対応して設けられ、内部に配置されたトリミング用導通素子の切断前では前記１／２ｋ−１周波数の分周信号を各々に対応する第２〜第ｎのスイッチング素子の制御端子に出力する一方、前記トリミング用導通素子の切断後には前記第２〜第ｎのスイッチング素子をオン状態またはオフ状態に維持させる信号を出力する第２〜第ｎの抵抗値設定回路と、
前記テストモード時の場合、前記比較回路の出力信号が反転するまでの間、前記クロック信号を外部に出力する出力するモード選択回路を備え、
前記第１〜第ｎの抵抗素子の抵抗比は、それぞれ２ｉ−１（ｉ＝１、２、…、ｎ）となるように設定されている電圧検出回路において、
テストモードに移行してから前記モード選択回路の出力信号が反転して一定となるまでの期間、前記モード選択回路の出力信号の立ち上がり及び立ち下がりに同期してカウントを行い、当該カウント値からトリミング量を検出し、当該トリミング量に応じて前記第１〜第ｎの抵抗値設定回路における前記トリミング用導通素子の切断処理を行う、
ことを特徴とするトリミング方法。
【請求項３】
被測定電源の電圧が所定電圧に到達したことを検出する電圧検出回路であって、
直列接続されたｎ個（ｎは１以上の整数）の第１〜第ｎの抵抗素子と、前記第１〜第ｎの抵抗素子の各々に対応して並列接続された第１〜第ｎのスイッチング素子と、を有する可変抵抗回路と、
基準電圧を発生する基準電圧源と、
前記被測定電源の電圧を前記可変抵抗回路と所定の抵抗素子とで構成される抵抗分割回路によって分圧することで生じる中点電圧と、前記基準電圧とを比較し、前記中点電圧と前記基準電圧との大小関係が反転した場合に、前記被測定電源の電圧が所定電圧に到達したことを示すために出力信号の状態を反転させる比較回路と、
テストモード時及び通常モード時に、所定周波数のクロック信号を外部から入力するために用いる外部クロック端子と、
前記クロック信号の１／２ｋ−１周波数（ｋ＝２、３、…、ｎ）の分周信号を生成する分周回路と、
前記クロック信号に対応して設けられ、内部に配置されたトリミング用導通素子の切断前では前記クロック信号を前記第１のスイッチング素子の制御端子に出力する一方、前記トリミング用導通素子の切断後には前記第１のスイッチング素子をオン状態またはオフ状態に維持させる信号を出力する第１の抵抗値設定回路と、
前記１／２ｋ−１周波数の分周信号の各々に対応して設けられ、内部に配置されたトリミング用導通素子の切断前では前記１／２ｋ−１周波数の分周信号を各々に対応する第２〜第ｎのスイッチング素子の制御端子に出力する一方、前記トリミング用導通素子の切断後には前記第２〜第ｎのスイッチング素子をオン状態またはオフ状態に維持させる信号を出力する第２〜第ｎの抵抗値設定回路と、
前記テストモード時の場合は前記比較回路の出力信号を外部に出力し、通常モード時の場合は１／２ｎ−１周波数の分周信号が前記分周回路から出力された場合に前記比較回路の出力信号を外部に出力するモード選択回路を備え、
前記第１〜第ｎの抵抗素子の抵抗比は、それぞれ２ｉ−１（ｉ＝１、２、…、ｎ）となるように設定されている電圧検出回路において、
テストモードに移行した後、外部からクロック信号を入力し、テストモードに移行してから前記モード選択回路の出力信号が反転するまでの期間、前記クロック信号の立ち上がり及び立ち下がりに同期してカウントを行い、当該カウント値からトリミング量を検出し、当該トリミング量に応じて前記第１〜第ｎの抵抗値設定回路における前記トリミング用導通素子の切断処理を行う、
ことを特徴とするトリミング方法。
【請求項４】
被測定電源の電圧を所定電圧に安定化させる電圧安定化回路であって、
直列接続されたｎ個（ｎは１以上の整数）の第１〜第ｎの抵抗素子と、前記第１〜第ｎの抵抗素子の各々に対応して並列接続された第１〜第ｎのスイッチング素子と、を有する可変抵抗回路と、
基準電圧を発生する基準電圧源と、
前記被測定電源と前記可変抵抗回路との間に設けられ、前記被測定電源の電圧の制御に用いられる電圧制御用トランジスタと、
前記電圧制御用トランジスタの出力電圧を前記可変抵抗回路と所定の抵抗素子とで構成される抵抗分割回路によって分圧することで生じる中点電圧と前記基準電圧とを入力とし、前記中点電圧と前記基準電圧とが一致するように前記電圧制御用トランジスタのゲート端子電圧を制御する誤差増幅器と、
テストモード時に、所定周波数のクロック信号を外部から入力するために用いる外部クロック端子と、
前記クロック信号の１／２ｋ−１周波数（ｋ＝２、３、…、ｎ）の分周信号を生成する分周回路と、
前記クロック信号に対応して設けられ、内部に配置されたトリミング用導通素子の切断前では前記クロック信号を前記第１のスイッチング素子の制御端子に出力する一方、前記トリミング用導通素子の切断後には前記第１のスイッチング素子をオン状態またはオフ状態に維持させる信号を出力する第１の抵抗値設定回路と、
前記１／２ｋ−１周波数の分周信号の各々に対応して設けられ、内部に配置されたトリミング用導通素子の切断前では前記１／２ｋ−１周波数の分周信号を各々に対応する第２〜第ｎのスイッチング素子の制御端子に出力する一方、前記トリミング用導通素子の切断後には前記第２〜第ｎのスイッチング素子をオン状態またはオフ状態に維持させる信号を出力する第２〜第ｎの抵抗値設定回路を備え、
前記第１〜第ｎの抵抗素子の抵抗比は、それぞれ２ｉ−１（ｉ＝１、２、…、ｎ）となるように設定されている電圧安定化回路において、
外部からクロック信号を入力し、前記電圧安定化回路の出力信号が所定電圧に到達するまでの期間、前記クロック信号の立ち上がり及び立ち下がりに同期してカウントを行い、当該カウント値からトリミング量を検出し、当該トリミング量に応じて前記第１〜第ｎの抵抗値設定回路における前記トリミング用導通素子の切断処理を行う、
ことを特徴とするトリミング方法。
【手続補正２】
【補正対象書類名】明細書
【補正対象項目名】発明の名称
【補正方法】変更
【補正の内容】
【発明の名称】トリミング方法
【手続補正３】
【補正対象書類名】明細書
【補正対象項目名】００２４
【補正方法】変更
【補正の内容】
【００２４】
本発明によると、テスト信号がハイレベルとなった時刻からＯＵＴ信号がハイレベルとなった時刻までの遅延時間Ｔｄを外部の測定器によって測定することで、遅延時間Ｔｄをクロック信号Ｓ１の周期で除算して被測定電源１００の電圧値を検出できた時の可変抵抗回路１０の総抵抗値を知ることができる。従って、抵抗値設定回路のトリミングを正確に行うことができる。